(57)【要約】      （修正有）【課題】色柄模様の正絹長襦袢地を組み合わせてステンドグラス風の菱形連続模様としたランプシェードを提供する。【解決手段】多種類の色柄模様の正絹長襦袢地をそれぞれ同一形状の菱形に裁断して菱形布片１を多数枚形成し、前記裁断された菱形布片１を袋状に形成したバイアステープ３を挟んで色柄違いになるように斜辺同士を縫い合わせて帯状布片２を多数枚形成し、さらに前記帯状布片２の長手方向の上下同士を袋状に形成したバイアステープ５を挟んで縫い合わせて菱形模様の長方形布地４を形成し、最後に前記菱形模様の長方形布地４の外周囲をバイアステープ６で縁取りをして、ステンドグラス風の菱形連続模様を形成した。【選択図】図１
0003152080.tif 000002
【実用新案登録請求の範囲】
【請求項１】
多種類の色柄模様の正絹長襦袢地をそれぞれ同一形状の菱形に裁断して形成した菱形布片と、前記菱形布片を色柄違いになるように斜辺同士を縫い合わせて帯状布片を形成するバイアステープと、さらに前記帯状布片の長手方向の上下同士を縫い合わせて菱形模様の長方形布地を形成するバイアステープと、最後に前記菱形模様の長方形布地の外周囲を縁取りするバイアステープとから構成されてなることを特徴とするランプシェード。
【請求項２】
多種類の色柄模様の正絹長襦袢地をそれぞれ同一形状の菱形に裁断して菱形布片を多数枚形成し、前記裁断された菱形布片を袋状に形成したバイアステープを挟んで色柄違いになるように斜辺同士を縫い合わせて帯状布片を多数枚形成し、さらに前記帯状布片の長手方向の上下同士を袋状に形成したバイアステープを挟んで縫い合わせて菱形模様の長方形布地を形成し、最後に前記菱形模様の長方形布地の外周囲をバイアステープで縁取りをして、ステンドグラス風の菱形連続模様を形成したことを特徴とするランプシェード。
【請求項３】
前記袋状に形成したバイアステープは、袋状空間部に厚紙棒を入れて広げ、アイロンによるプレス成形により平坦にしたことを特徴とする請求項２記載のランプシェード。
【考案の詳細な説明】
【技術分野】
【０００１】
本考案は、色柄模様の正絹（しょうけん）長襦袢地を組み合わせてステンドグラス風の菱形連続模様としたランプシェードに関する。
【背景技術】
【０００２】
ランプシェードには、ガラス製、布製、和紙製、ホーロー製、金属製などの色々な材質から作られており、お部屋のインテリアに合わせてそれぞれの素材を使用したランプシェードを選んでいる。
従来、綿、麻、絹を原糸とする装飾布帛（ふはく）を使用したランプシェードが公知となっている（特許文献１を参照）。
この公知技術は、二枚の透視可能な薄手布帛の間に模様状に裁断した非透視性の着色布帛を挟み、この着色布帛を縁取るように前記薄手布帛にステッチをして、表裏両面から模様状に着色布帛を透視できるようした装飾布帛を、ランプシェード、暖簾、カーテン、又はコートとして使用するものである。
【先行技術文献】
【特許文献】
【０００３】
【特許文献１】実開昭６２−１４１０９７号公報
【考案の概要】
【考案が解決しようとする課題】
【０００４】
本考案は、色柄模様の正絹長襦袢地を組み合わせてステンドグラス風の菱形連続模様としたランプシェードを提供することを目的とする。
【課題を解決するための手段】
【０００５】
本考案のランプシェードは、多種類の色柄模様の正絹長襦袢地をそれぞれ同一形状の菱形に裁断して形成した菱形布片と、前記菱形布片を色柄違いになるように斜辺同士を縫い合わせて帯状布片を形成するバイアステープと、さらに前記帯状布片の長手方向の上下同士を縫い合わせて菱形模様の長方形布地を形成するバイアステープと、最後に前記菱形模様の長方形布地の外周囲を縁取りするバイアステープとから構成されてなるものである。
本考案のランプシェードは、多種類の色柄模様の正絹長襦袢地をそれぞれ同一形状の菱形に裁断して菱形布片を多数枚形成し、前記裁断された菱形布片を袋状に形成したバイアステープを挟んで色柄違いになるように斜辺同士を縫い合わせて帯状布片を多数枚形成し、さらに前記帯状布片の長手方向の上下同士を袋状に形成したバイアステープを挟んで縫い合わせて菱形模様の長方形布地を形成し、最後に前記菱形模様の長方形布地の外周囲をバイアステープで縁取りをして、ステンドグラス風の菱形連続模様を形成したものである。
前記袋状に形成したバイアステープは、袋状空間部に厚紙棒を入れて広げ、アイロンによるプレス成形により平坦にしたものである。
【考案の効果】
【０００６】
本考案のランプシェードは、日本伝統的な絹織物の正絹長襦袢地を使用して、菱形連続模様のステンドグラス風に形成したものであるため、ランプ光源からの照明を正絹長襦袢地により和らげると共に正絹長襦袢地の色柄模様が浮き出す装飾的効果を生じる。
【図面の簡単な説明】
【０００７】
【図１】本考案のランプシェードの完成した状態を示す全体図である。
【図２】型紙の平面図である。
【図３】菱形布片の一部切除して示す平面図である。
【図４】菱形布片の完全菱形Ａ、縦分割菱形Ｂ、横分割菱形Ｃを示す平面図である。
【図５】本考案のランプシェードを製作する手順を示す平面図である。
【図６】バイアステープの袋（輪）に厚紙棒を挿入する状態を示す斜視図である。
【図７】バイアステープの角の折り方の手順を示す平面図である。
【考案を実施するための形態】
【０００８】
本考案のランプシェードの一実施例を添付図面に基づいて、以下に説明する。
図１に示すように、本考案のランプシェードは、多種類の色柄模様の正絹長襦袢地をそれぞれ同一形状の菱形に裁断して形成した菱形布片１と、前記菱形布片１を色柄違いになるように斜辺同士を縫い合わせて帯状布片２を形成するバイアステープ３と、さらに前記帯状布片２の長手方向の上下同士を縫い合わせて菱形模様の長方形布地４を形成するバイアステープ５と、最後に前記菱形模様の長方形布地４の外周囲を縁取りするバイアステープ６とから構成されてなり、多種類の色柄模様の正絹長襦袢地をそれぞれ同一形状の菱形に裁断して菱形布片１を多数枚形成し、前記裁断された菱形布片１を袋状に形成したバイアステープ３を挟んで色柄違いになるように斜辺同士を縫い合わせて帯状布片２を多数枚形成し、さらに前記帯状布片２の長手方向の上下同士を袋状に形成したバイアステープ５を挟んで縫い合わせて菱形模様の長方形布地４を形成し、最後に前記菱形模様の長方形布地４の外周囲をバイアステープ６で縁取りをして、ステンドグラス風の菱形連続模様を形成したものである。
【実施例】
【０００９】
本考案のランプシェードを製作するための材料は、複数枚の色柄模様の正絹長襦袢生地、前記正絹長襦袢生地と同数枚の白色の接着芯、バイアステープ（二つ折り１２ｍｍ巾総長約９ｍ、１５ｃｍ３０本、２９ｃｍ２本、５５ｃｍ２本、８０ｃｍ３本、四つ折り１１ｍｍ巾約３１０ｃｍ）、厚紙棒（５ｍｍ巾で長さ１７ｃｍ６本、５ｍｍ巾で長さ３０ｃｍ３本）、絹ミシン糸、しつけ糸である。
図２に示すように、横軸：縦軸が２：３の割合となる菱形の型紙を形成し、この型紙を利用して型紙より縫い代を１ｃｍ付けて、多種類の色柄模様の正絹長襦袢生地及び白色の接着芯を菱形にそれぞれ３８枚裁断する。
図３に示すように、前記裁断した正絹長襦袢地の菱形布片１の全ての裏面には接着芯７を重ねて、アイロンで加熱圧着して菱形布片１の裏面に接着芯７を接着する。なお、一点鎖線で示した部分から外側部分は１ｃｍの縫い代８である。
前記菱形布片１は、図４（ａ）に示すように菱形布片１の裏面に接着芯を接着した完全菱形Ａを２２枚、図４（ｂ）に示すように縦軸線に沿って３／４に切断した縦分割菱形Ｂを１０枚、図４（ｃ）に示すように横軸線に沿って３／４に切断した横分割菱形Ｃを６枚にそれぞれ切断形成する。なお、一点鎖線で示した部分より外側部分は１ｃｍの縫い代８である。
【００１０】
最初に、図５の左上角部分と右下角部分の縦分割菱形Ｂと横分割菱形Ｃに仕付けをかけてからミシンで順番に縫い合わせて、角部分の帯状布片２を形成する。
縦分割菱形Ｂと横分割菱形Ｃを裏側（接着芯側）にして鉛筆で型紙の印を付け、縦分割菱形Ｂと横分割菱形Ｃの切断部分が直角外側となるように並べる。縦分割菱形Ｂと横分割菱形Ｃとの接合部分は３ｍｍの縫い代を残して裁ち切る。縦分割菱形Ｂと横分割菱形Ｃを中表（表側を背中合わせ）に合わせた間に、長手方向に沿って袋（輪）を形成したバイアステープ３の袋（輪）を下にして挟み、バイアステープ３は縦分割菱形Ｂと横分割菱形Ｃの縫い代３ｍｍより１ｍｍを縦分割菱形Ｂと横分割菱形Ｃの端より出し、３ｍｍ位の緩みをつけて縦分割菱形Ｂと横分割菱形Ｃの接合部分の端から端まで縫う。そして、最初と最後は返し縫いをする。縫った表側のバイアステープ３の袋（輪）９は、図６に示す厚紙棒１０を入れ広げアイロンをかけて平坦にする。裏側のバイアステープ３は、左右に割り広げアイロンをかけて平坦にする。このようにして縦分割菱形Ｂと横分割菱形Ｃを縫い合わせて、図５の左上角部分と右下角部分の帯状布片２を合計２枚形成する。
【００１１】
さらに、完全菱形Ａを中にし、縦分割菱形Ｂと横分割菱形Ｃを両端にし、仕付けをかけてからミシンで順番に縫い合わせて、中間部分の帯状布片２を形成する。
前述と同様にして、完全菱形Ａ、縦分割菱形Ｂ、横分割菱形Ｃを裏側（接着芯側）にして鉛筆で型紙の印を付け、中央に完全菱形Ａを並べ、端に切断部分が外側となるように縦分割菱形Ｂと横分割菱形Ｃを並べる。完全菱形Ａ、縦分割菱形Ｂ、横分割菱形Ｃの接合部分は３ｍｍの縫い代を残して裁ち切る。完全菱形Ａ、縦分割菱形Ｂ、横分割菱形Ｃを中表（表側を背中合わせ）に合わせた間に、長手方向に沿って袋（輪）９を形成したバイアステープ３の袋（輪）を下にして挟み、バイアステープ３は完全菱形Ａ、縦分割菱形Ｂ、横分割菱形Ｃの縫い代３ｍｍより１ｍｍを完全菱形Ａ、縦分割菱形Ｂ、横分割菱形Ｃの端より出し、３ｍｍ位の緩みをつけて完全菱形Ａ、縦分割菱形Ｂ、横分割菱形Ｃの接合部分の端から端まで縫う。そして、最初と最後は返し縫いをする。縫った表側のバイアステープ３の袋（輪）９は、厚紙棒１０を入れ広げアイロンをかけて平坦にする。裏側のバイアステープ３は、左右に割り広げアイロンをかけて平坦にする。このようにして完全菱形Ａ、縦分割菱形Ｂ、横分割菱形Ｃを縫い合わせて、図５の点対称の中間部分の帯状布片２を形成する。前記帯状布片２は、完全菱形Ａの２枚接合が２枚、４枚接合が２枚、５枚接合が２枚の合計６枚を形成する。
【００１２】
次に、図５の左上から順番に前記帯状布片２と前記帯状布片２を、仕付けをかけてからミシンで縫って行く。
前記帯状布片２と前記帯状布片２を長手方向を境にして並べる。前記帯状布片２と前記帯状布片２の接合部分は３ｍｍの縫い代を残して裁ち切る。前記帯状布片２と前記帯状布片２を中表（表側を背中合わせ）に合わせた間に、長手方向に沿って袋（輪）９を形成したバイアステープ５の袋（輪）９を下にして挟み、バイアステープ５は前記帯状布片２と前記帯状布片２の縫い代３ｍｍより１ｍｍを前記帯状布片２と前記帯状布片２の端より出し、３ｍｍ位の緩みをつけて前記帯状布片２と前記帯状布片２の接合部分の端から端まで縫う。そして、最初と最後は返し縫いをする。縫った表側のバイアステープ５の袋（輪）９は、厚紙棒１０を入れ広げアイロンをかけて平坦にする。裏側のバイアステープ５は、左右に割り広げアイロンをかけて平坦にする。このようにして前記帯状布片２と前記帯状布片２を縫い合わせて、長方形布地４を形成する。
【００１３】
前記長方形布地４全体を広げ、形を整えてアイロンをかけて、回りを裁ち揃える。
４ツ折りのバイアステープ１１を広げ軽くアイロンをかける。
図７に示すように、（ａ）前記長方形布地４の端と裏返したバイアステープ１１の端を合わせ、端に近い折り山１２に沿って長方形布地４とバイアステープ１１を角から４５度の部分まで縫って行く（破線で示す部分が縫い目）。（ｂ）バイアステープ１１の反対側の端は端に近い折り山１３で重ねるように折り返す。（ｃ）前記長方形布地４の角部分は、バイアステープ１１を４５角度で折り返す。（ｄ）更に前記長方形布地４の端とバイアステープ１１の端を合わせ、反対側へ端の線に沿って重ねて折り返し、端に近い折り山１２に沿って長方形布地４とバイアステープ１１を縫って行く。（ｅ）バイアステープ１１全体を前記長方形布地４の裏側へ折り返す。（ｆ）折り返したパイアステープ１１の前記長方形布地４の表側の状態を示す。（ｇ）折り返したパイアステープ１１の前記長方形布地４の裏側の状態を示す。パイアステープ１１の端は絎（く）けて縁取りをする。
このようにして完成した状態が図１に示すランプシェードである。
【符号の説明】
【００１４】
１  菱形布片
２  帯状布片
３  バイアステープ
４  長方形布地
５  バイアステープ
６  バイアステープ
７  接着芯
８  縫い代
９  袋（輪）
１０  厚紙棒
１１  バイアステープ
【図１】
0003152080.tif 000003
【図２】
0003152080.tif 000004
【図３】
0003152080.tif 000005
【図４】
0003152080.tif 000006
【図５】
0003152080.tif 000007
【図６】
0003152080.tif 000008
【図７】
0003152080.tif 000009